(57)【要約】【課題】  光学系の位置及び角度調整に対する高い精度と信頼性を確保するとともに、製造工数の低減。更には製造性（製造容易性，製造作業性等）の向上を図る。【解決手段】  カメラボディ２を、少なくとも第一ボディ２ａと第二ボディ２ｂの組み合わせにより構成し、第一ボディ２ａに、交換レンズ３が着脱するレンズマウント４を設け、かつ少なくともシャッタユニット５，撮像素子ユニット６及びファインダユニット７を含む光学系部品に属する第一部品群Ｐａを位置決めして取り付けるとともに、第二ボディ２ｂに、第一部品群Ｐａを除いた電気系部品を含む第二部品群Ｐｂを取り付ける。【選択図】  図１
2005250006.tif 000002
【特許請求の範囲】
【請求項１】
カメラボディに対して交換レンズを着脱可能に構成したデジタルカメラにおいて、前記カメラボディを、少なくとも第一ボディと第二ボディの組み合わせにより構成し、前記第一ボディに、前記交換レンズが着脱するレンズマウントを設け、かつ少なくともシャッタユニット，撮像素子ユニット及びファインダユニットを含む光学系部品に属する第一部品群を位置決めして取り付けるとともに、前記第二ボディに、前記第一部品群を除いた電気系部品を含む第二部品群を取り付けてなることを特徴とするデジタルカメラ。
【請求項２】
前記ファインダユニットは、撮像に係る主光学系に対して異なる独立した光学系により絶対距離を測るレンジファインダユニットであることを特徴とする請求項１記載のデジタルカメラ。
【請求項３】
前記レンズマウントは、専用となる第一交換レンズ群及び種類の異なる他の特定カメラに使用する第二交換レンズ群に対して着脱可能に構成するとともに、前記第一交換レンズ群は、前記特定カメラに対して着脱不能に構成することを特徴とする請求項１記載のデジタルカメラ。
【発明の詳細な説明】
【技術分野】
【０００１】
本発明は、カメラボディに対して交換レンズを着脱可能に構成したデジタルカメラに関する。
【背景技術】
【０００２】
従来、カメラボディに対して交換レンズを着脱可能に構成したデジタルカメラは、特開２００３−７８７９４号公報等で知られている。
【０００３】
一般に、交換レンズを用いるこの種のデジタルカメラは、同公報にも開示されるように、一眼レフデジタルカメラ等の高画質の要求される高級カメラに採用されることが多いとともに、ファインダ，撮像素子（ＣＣＤ），シャッタ，レンズマウント等の光学系部品の位置関係を正確に設定することが高精度のフォーカシングを確保する上で不可欠になることから、通常、外装パネルや開閉カバーを除いたカメラボディは、金属素材等の剛性の高い硬質素材で一体成形している。
【特許文献１】特開２００３−７８７９４号
【発明の開示】
【発明が解決しようとする課題】
【０００４】
しかし、交換レンズを着脱可能に構成した従来のデジタルカメラは、次のような問題点があった。
【０００５】
第一に、カメラボディには、光学系以外の電子部品，回路基板，外部メモリドライブ，バッテリ収容部等の各種部品類も組み付けられるため、光学系の位置及び角度調整がやりにくくなったり位置及び角度調整後の製造工程において調整位置及び角度がズレやすくなるなど、光学系の位置及び角度調整に対する高い精度と信頼性を確保するには限界があり、特に、撮像に係る主光学系に対して異なる独立した光学系により絶対距離を測るレンジファインダの位置調整及び調整においては、無視できない重要な問題となる。
【０００６】
第二に、デジタルカメラの場合、ファインダ（レンジファインダ），撮像素子，シャッタ，レンズマウント等の光学系部品、更には電子部品，回路基板，外部メモリドライブ，バッテリ収容部等の電気系部品を、カメラボディの限られた空間内に組み付ける必要があるため、製造工程における組付手順や組付方法の自由度が低くなり、製造工数の増加、更には製造性（製造容易性，製造作業性等）の低下を招く。
【０００７】
本発明は、このような背景技術に存在する課題を解決したデジタルカメラの提供を目的とするものである。
【課題を解決するための手段】
【０００８】
本発明は、上述した課題を解決するため、カメラボディ２に対して交換レンズ３を着脱可能に構成したデジタルカメラ１を構成するに際して、カメラボディ２を、少なくとも第一ボディ２ａと第二ボディ２ｂの組み合わせにより構成し、第一ボディ２ａに、交換レンズ３が着脱するレンズマウント４を設け、かつ少なくともシャッタユニット５，撮像素子ユニット６及びファインダユニット７を含む光学系部品に属する第一部品群Ｐａを位置決めして取り付けるとともに、第二ボディ２ｂに、第一部品群Ｐａを除いた電気系部品を含む第二部品群Ｐｂを取り付けてなることを特徴とする。
【０００９】
この場合、発明の好適な態様により、ファインダユニット７には、撮像に係る主光学系に対して異なる独立した光学系により絶対距離を測るレンジファインダユニットを用いることができる。また、レンズマウント４は、専用となる第一交換レンズ群１１及び種類の異なる他の特定カメラ１００に使用する第二交換レンズ群１２に対して着脱可能に構成するとともに、第一交換レンズ群１１は、特定カメラ１００に対して着脱不能に構成することができる。
【発明の効果】
【００１０】
このような構成を有する本発明に係るデジタルカメラ１によれば、次のような顕著な効果を奏する。
【００１１】
（１）  シャッタユニット５，撮像素子ユニット６及びファインダユニット７を含む光学系部品に属する第一部品群Ｐａを取り付ける第一ボディ２ａには、電気系部品を含む第二部品群Ｐｂを取り付けないため、光学系の位置及び角度調整を容易に行うことができるとともに、位置及び角度調整後の製造工程における調整位置及び角度がズレにくくなるなど、光学系の位置及び角度調整に対する高い精度と信頼性を確保できる。
【００１２】
（２）  シャッタユニット５，撮像素子ユニット６及びファインダユニット７を含む光学系部品に属する第一部品群Ｐａ、更にはバッテリ，電子部品及び回路部品等の電気系部品を含む第二部品群Ｐｂを、カメラボディ２の限られた空間内に組み付ける場合であっても、対応する第一ボディ２ａ及び第二ボディ２ｂにそれぞれ組み付けるため、製造工程における組付手順や組付方法の自由度を高めることができ、製造工数の低減、更には製造性（製造容易性，製造作業性等）の向上を図ることができる。
【００１３】
（３）  好適な態様により、ファインダユニット７に、撮像に係る主光学系に対して異なる独立した光学系により絶対距離を測るレンジファインダユニットを用いれば、当該レンジファインダユニットに対する高精度の位置及び角度調整を容易かつ確実に行うことが可能になる。
【００１４】
（４）  好適な態様により、レンズマウント４を、専用となる第一交換レンズ群１１及び種類の異なる他の特定カメラ１００に使用する第二交換レンズ群１２に対して着脱可能に構成するとともに、第一交換レンズ群１１を、特定カメラ１００に対して着脱不能に構成すれば、例えば、フィルム式旧カメラ（特定カメラ１００）に使用した３５ｍｍフォーマット等の高価な交換レンズ（第二交換レンズ群１２）も有効に再利用できるとともに、デジタルカメラ１に専用設計した小型化された交換レンズ（第一交換レンズ群１１）をフィルム式旧カメラに使用して本来の画質が得れない状態で撮影してしまうなどの不具合（トラブル）を確実に回避できる。
【発明を実施するための最良の形態】
【００１５】
次に、本発明に係る最良の実施形態を挙げ、図面に基づき詳細に説明する。
【００１６】
まず、本実施形態に係るデジタルカメラ１に用いる主要部品について、図１〜図５を参照して説明する。
【００１７】
２はカメラボディを示し、このカメラボディ２は、第一ボディ２ａと第二ボディ２ｂの組み合わせにより構成する。第一ボディ２ａは、全体を金属素材や硬質プラスチック素材等の剛性の高い硬質素材により一体成形する。第一ボディ２ａは、ベース部２１を有するとともに、更に、ベース部２１の前面に設けたリング状のレンズマウント４と、ベース部２１の正面から見て上端の略中央から右側の位置に設けたアーム状の第一支持部２２ｐ及び第二支持部２２ｑからなる上支持部２２と、ベース部２１の後面に設けた後支持部２３を有する。
【００１８】
この場合、レンズマウント４には、図１に示す交換レンズ３が着脱する。なお、この交換レンズ３には、後述する専用となる第一交換レンズ群１１及び種類の異なる他の特定カメラ１００に使用する第二交換レンズ群１２が含まれる。また、上支持部２２には、ファインダユニット７を位置決めして取り付けることができる。図２中、Ｃ１，Ｃ２…は、ファインダユニット７に設けたネジ止め用のネジ挿通孔（又はネジ孔）を示す。このファインダユニット７は、二眼レフデジタルカメラを構成するレンジファインダユニット、即ち、撮像に係る主光学系に対して異なる独立した光学系により絶対距離を測るレンジファインダユニットであり、図２に示すように、第一像入力部３１ｉと第二像入力部３１ｊを有するとともに、交換レンズ３を装着した際に、交換レンズ３側に係合してレンズ位置情報を得るレンズ情報取得用レバー機構３２を備えている。
【００１９】
一方、後支持部２３には、シャッタユニット５を取り付けることができる。シャッタユニット５は、シャッタ機構を含むシャッタ部４１と、このシャッタ部４１を支持する支持フレーム４２を有し、この支持フレーム４２を位置決めして後支持部２３に固定することができる。図２中、Ｃ３，Ｃ４…は、支持フレーム４２に設けたネジ止め用のネジ挿通孔（又はネジ孔）を示す。さらに、シャッタユニット５の後部には撮像素子ユニット６を重ねた状態に配し、この撮像素子ユニット６を後支持部２３及び／又はシャッタユニット５に対して取り付けることができる。撮像素子ユニット６は、撮像素子（ＣＣＤ）５１と、この撮像素子５１を支持する支持フレーム５２を有し、この支持フレーム５２を位置決めして、後支持部２３及び／又は支持フレーム４２に固定することができる。この場合、支持フレーム５２は、支持フレーム４２又は後支持部２３のいずれか一方に固定してもよいし、支持フレーム４２及び後支持部２３の双方を貫通するネジ等を利用して支持フレーム４２及び後支持部２３の双方に固定してもよい。図２中、Ｃ５，Ｃ６…は、支持フレーム５２に設けたネジ止め用のネジ挿通孔（又はネジ孔）を示す。
【００２０】
このようなシャッタユニット５，撮像素子ユニット６及びファインダユニット７は、光学系部品に属する第一部品群Ｐａを構成する。なお、第一部品群Ｐａには、必要により他の光学系部品を含ませることができる。
【００２１】
他方、第二ボディ２ｂも、第一ボディ２ａと同様に、全体を金属素材や硬質プラスチック素材等の剛性の高い硬質素材により一体成形する。第二ボディ２ｂは、第一ボディ２ａに対して位置決めして取り付けることができる。この第二ボディ２ｂには、上述した第一部品群Ｐａを除いた電気系部品を含む第二部品群Ｐｂを組み付けることができる。この電気系部品には、例えば、電子部品，回路基板，外部メモリドライブ（外部メモリ），バッテリ収容部（バッテリ）等が含まれる。なお、第二ボディ２ｂには、図５に示すような外装パネル６１を装着してもよいし、必要により第二ボディ２ｂに外装パネルを兼用させてもよい。
【００２２】
次に、本実施形態に係るデジタルカメラ１の製造方法、特に、上述した主要部品の組付方法について、図１〜図５を参照して説明する。
【００２３】
まず、第一ボディ２ａに対して、シャッタユニット５，撮像素子ユニット６及びファインダユニット７を位置決めして組み付ける。ファインダユニット７は、ネジ挿通孔（又はネジ孔）Ｃ１，Ｃ２…を利用し、不図示の固定ネジにより上支持部２２にネジ止めする。また、シャッタユニット５と撮像素子ユニット６は、ネジ挿通孔（又はネジ孔）Ｃ３，Ｃ４…、Ｃ５，Ｃ６…を利用し、不図示の固定ネジにより後支持部２３にネジ止めする。なお、図１中、矢印Ｆ…は、組付方向を示している。
【００２４】
これにより、第一ボディ２ａは、光学系部品に属する第一部品群Ｐａを一括して支持することになり、フォーカシング精度は、この第一ボディ２ａによって保証されることになる。即ち、この第一ボディ２ａのレンズマウント４に標準の交換レンズ３を装着し、撮像素子ユニット６におけるレンズマウント４に対するＺ軸方向（光軸方向）の位置調整、更にはピッチング方向及びヨーイング方向（Ｚ軸を支点とした回転方向をローリング方向）の角度調整を行うとともに、ファインダユニット７におけるＸ軸方向（左右方向）及びＹ軸方向（上下方向）の位置調整、更にはローリング方向（Ｚ軸を支点とした回転方向）の角度調整を行えば、光学系に対する全ての位置及び角度調整は、この第一ボディ２ａにより完結する。図３は、第一ボディ２ａを用いた第一アセンブリＭａを示す。なお、位置及び角度調整は、ネジ止め時に調整ワッシャを挿入したりクリアランス孔を設けるなどの任意の公知手段により実施可能である。
【００２５】
一方、第二ボディ２ｂに対して、電子部品，回路基板，外部メモリドライブ，バッテリ収容部等の電気系部品を含む第二部品群Ｐｂを取り付ける。これにより、第二ボディ２ｂを用いた第二アセンブリＭｂを製作することができる。そして、上述した第一アセンブリＭａの組付及び調整が終了するとともに、第二アセンブリＭｂの組付が終了したなら、第二ボディ２ｂ（第二アセンブリＭｂ）に対して第一ボディ２ａ（第一アセンブリＭａ）を位置決めして固定する。これにより、図４に示す第一アセンブリＭａと第二アセンブリＭｂを組み付けたボディアセンブリＭｃができあがる。
【００２６】
よって、本実施形態に係るデジタルカメラ１によれば、シャッタユニット５，撮像素子ユニット６及びファインダユニット７を含む光学系部品に属する第一部品群Ｐａを取り付ける第一ボディ２ａには、電気系部品を含む第二部品群Ｐｂを取り付けないため、光学系の位置及び角度調整を容易に行うことができるとともに、位置及び角度調整後の製造工程における調整位置及び角度がズレにくくなるなど、光学系の位置及び角度調整に対する高い精度と信頼性を確保できる。また、シャッタユニット５，撮像素子ユニット６及びファインダユニット７を含む光学系部品に属する第一部品群Ｐａ、更にはバッテリ，電子部品及び回路部品等の電気系部品を含む第二部品群Ｐｂを、カメラボディ２の限られた空間内に組み付ける場合であっても、それぞれ対応する第一ボディ２ａ及び第二ボディ２ｂに組み付けるため、製造工程における組付手順や組付方法の自由度を高めることができ、製造工数の低減や製造性（製造容易性，製造作業性等）の向上を図ることができる。しかも、ファインダユニット７に、撮像に係る主光学系に対して異なる独立した光学系により絶対距離を測るレンジファインダユニットを用いれば、当該レンジファインダユニットに対する高精度の位置及び角度調整を容易かつ確実に行うことが可能になる。
【００２７】
他方、図５は、外装パネル６１及び各種部品を組付けて最終的に製造の完了をしたデジタルカメラ１を示す。ところで、本実施形態に係るデジタルカメラ１は、ファインダユニット７に、上述したレンジファインダユニットを用いている。レンジファインダユニットを用いた二眼レフデジタルカメラを構成する場合、一眼レフデジタルカメラに対してファインダ機構やシャッタ機構等の単純化が図られるため、より小型コンバクト化が可能になり、この結果、焦点距離の短い小型の交換レンズ、例えば、ＡＰＳサイズの交換レンズも採用可能になる。一方、交換レンズは比較的高価になるため、フィルム式旧カメラに使用した標準サイズである３５ｍｍフォーマットの交換レンズをデジタルカメラ１により再利用できるようにすれば、資材の有効活用の観点から望ましい。この場合、デジタルカメラ１において標準サイズの交換レンズを使用できるようにすることは特に問題を生じないが、デジタルカメラ１に専用設計した小型化されたＡＰＳサイズの交換レンズをフィルム式旧カメラに使用した場合には、小型故に、周辺の光量低下や収差の悪化等により本来の良好な画質を得れなくなる。
【００２８】
そこで、本実施形態に係るデジタルカメラ１では、図５に示すように、レンズマウント４を、例えば、ＡＰＳサイズを用いた専用となる第一交換レンズ群１１と、種類の異なる他の特定カメラ１００（例えば、フィルム式旧カメラ）に使用した、例えば、３５ｍｍフォーマットの第二交換レンズ群１２の双方が装着できるように構成するとともに、第一交換レンズ群１１は、特定カメラ１００に対して着脱できないように構成した。
【００２９】
具体的には、図５に示すデジタルカメラ１のレンズマウント４に備える一又は二以上（例示は二つ）の係止爪部７１…を、特定カメラ１００のレンズマウント１０１に備える対応する位置の係止爪部１０２…よりも短くなるように形成した。即ち、係止爪部７１…の周方向の長さを、レンズマウント１０１に備える係止爪部１０２…における周方向の長さよりも長さ７１ｒの分だけ短くした。この場合、装着時に交換レンズを回転させる方向を前方とすれば、前端位置から後方へ長さ７１ｒの分だけ切削形成すればよい。また、デジタルカメラ１に専用設計した小型化された第一交換レンズ群１１に備える一又は二以上（例示は二つ）の被係止爪部７２…を、第二交換レンズ群１２に備える対応する位置の被係止爪部１０３…よりもよりも長くなるように形成した。即ち、被係止爪部７２…の周方向の長さを、第二交換レンズ群１２の被係止爪部１０３…における周方向の長さよりも長さ７２ｓの分だけ長くした。この場合、装着時に交換レンズを回転させる方向を前方とすれば、後端位置から後方へ長さ７２ｓの分だけ延設形成すればよい。
【００３０】
これにより、第二交換レンズ群１２は、本来の特定カメラ１００のレンズマウント１０１に対して着脱できることに加え、被係止爪部１０３…は、周方向に短くなるため、デジタルカメラ１のレンズマウント４にも着脱することができる。これに対して、第一交換レンズ群１１は、本来のデジタルカメラ１に対して着脱できるが、被係止爪部７２…は、周方向に長くなるため、特定カメラ１００のレンズマウント１０１に対しては着脱不能となる。したがって、フィルム式旧カメラ（特定カメラ１００）に使用した３５ｍｍフォーマット等の高価な交換レンズ（第二交換レンズ群１２）も有効に再利用できるとともに、デジタルカメラ１に専用設計した小型化された交換レンズ（第一交換レンズ群１１）をフィルム式旧カメラに使用して本来の画質が得れない状態で撮影してしまうなどの不具合（トラブル）を確実に回避できる。
【００３１】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、カメラボディ２は、第一ボディ２ａと第二ボディ２ｂの組み合わせにより構成した場合を示したが、第三ボディ等の他の一又は二以上のボディを組合わせてもよい。
【図面の簡単な説明】
【００３２】
【図１】本発明の最良の実施形態に係るデジタルカメラにおける主要部品の模式的分解斜視図、
【図２】同デジタルカメラにおける第一ボディ及び第一部品群の分解斜視図、
【図３】同デジタルカメラにおける第一アセンブリの斜視図、
【図４】同デジタルカメラにおける第一アセンブリと第二アセンブリを組み付けたボディアセンブリの斜視図、
【図５】同デジタルカメラの正面図を含むレンズフォーマットの説明図、
【符号の説明】
【００３３】
１      デジタルカメラ
２      カメラボディ
２ａ    第一ボディ
２ｂ    第二ボディ
３      交換レンズ
４      レンズマウント
５      シャッタユニット
６      撮像素子ユニット
７      ファインダユニット
１１    第一交換レンズ群
１２    第二交換レンズ群
１００  特定カメラ
Ｐａ    第一部品群
Ｐｂ    第二部品群
【図１】
2005250006.tif 000003
【図２】
2005250006.tif 000004
【図３】
2005250006.tif 000005
【図４】
2005250006.tif 000006
【図５】
2005250006.tif 000007